(57)【要約】【課題】機器周辺の美観に影響を与えることなく、長期にわたって適正に防水効果を発揮させることができ、さらに、非常時に容易かつ迅速に設置することができる機器の防水カバーを提供すること。【解決手段】あらかじめ機器が載置され、前記機器の底部と略同一の面積を有するカバー底部２と、このカバー底部２に着脱可能に取り付けられて、前記機器を覆うカバー本体１１と、を備えることを特徴とする。これにより、機器周辺の美観に影響を与えることなく、非常時に容易かつ迅速にカバーを設置することができる。【選択図】図１
2007217032.tif 000002
【特許請求の範囲】
【請求項１】
あらかじめ機器が載置され、前記機器の底部と略同一の面積を有するカバー底部と、
このカバー底部に着脱可能に取り付けられて、前記機器を覆うカバー本体と、を備えることを特徴とする機器の防水カバー。
【請求項２】
前記カバー底部と前記カバー本体とが、防水用連結部によって着脱可能に取り付けられることを特徴とする請求項１に記載の機器の防水カバー。
【請求項３】
前記カバー本体が、前記機器の前部を覆うカバー前部と、前記機器の後部を覆うカバー後部とを備え、
前記カバー前部と前記カバー後部とが、着脱可能に取り付けられることを特徴とする請求項１又は請求項２に記載の機器の防水カバー。
【請求項４】
前記カバー前部と前記カバー後部とが、防水用連結部によって着脱可能に取り付けられることを特徴とする請求項３に記載の機器の防水カバー。
【請求項５】
前記カバー後部が、あらかじめ前記カバー底部に取り付けられることを特徴とする請求項３又は請求項４に記載の機器の防水カバー。
【請求項６】
前記カバー後部又は前記カバー底部に、前記機器のケーブルが挿通される伸縮可能な保護部材が設けられていることを特徴とする請求項３から請求項５のいずれか一項に記載の機器の防水カバー。
【発明の詳細な説明】
【技術分野】
【０００１】
本発明は、各種機器を水害などから保護するための機器の防水カバーに関する。
【背景技術】
【０００２】
従来より、台風や大雨によって水が建物内に浸水した場合など（非常時）において、窓口用の現金処理装置や壁面設置型のＡＴＭなどの各種機器を水害から保護するために種々のカバーが考えられている。
これらカバーの中には、機器全体を包み込める分の面積を有するシート状のカバーを機器の下にあらかじめ敷いておき、非常時には、敷いてあったカバーの前後左右の端部を起こして、機器を包むようにして機器の上方で端部同士を紐止めするものが提案されている。なお、このカバーは、必ずしもあらかじめ敷いておく必要はなく、非常時にのみ、機器の下に敷いて使用することもできる。
【特許文献１】登録実用新案第３００９７３７号公報
【発明の開示】
【発明が解決しようとする課題】
【０００３】
しかしながら、特許文献１に記載のカバーのように、所定の面積を有するカバーを機器の下にあらかじめ敷いておくと、店舗内などの美観が損なわれるだけでなく、平常時にカバーの上を人や物が通ることから、カバーに損傷を与えてしまうという問題がある。一方、非常時にのみ、カバーを敷いて使用する場合、以下の問題がある。すなわち、水害から保護すべき機器は一般的に非常に重く（ＡＴＭは４００ｋｇ程度、窓口用の現金処理装置は２００ｋｇ程度）、また、それら重量のある機器の設置には耐震対策などがなされているため、それら設置された機器の下にカバーを敷いたり、敷かれたカバーを抜いたりすることは極めて困難となる。
【０００４】
本発明は、上記従来の事情に鑑みて案出されたものであり、機器周辺の美観に影響を与えることなく、長期にわたって適正に防水効果を発揮させることができ、さらに、非常時に容易かつ迅速に設置することができる機器の防水カバーを提供することを目的とする。
【課題を解決するための手段】
【０００５】
上記課題を解決するために、本発明は以下の手段を提供する。
本発明に係る機器の防水カバーは、あらかじめ機器が載置され、前記機器の底部と略同一の面積を有するカバー底部と、このカバー底部に着脱可能に取り付けられて、前記機器を覆うカバー本体と、を備えることを特徴とする。
【０００６】
この発明に係る機器の防水カバーにおいては、カバー底部の面積が機器の底部と略同一の面積を有することから、カバー底部に機器が載置されると、機器によってカバー底部が隠される。そのため、平常時にあらかじめカバー底部に機器を載置しておいても、カバー底部が露出することはない。
一方、非常時になると、あらかじめ機器が載置された状態のカバー底部にカバー本体が取り付けられ、機器全体が覆われる。
これにより、非常時にもカバー本体を容易かつ迅速に設置することができる。
【０００７】
また、本発明に係る機器の防水カバーは、前記カバー底部と前記カバー本体とが、防水用連結部によって着脱可能に取り付けられることを特徴とする。
【０００８】
この発明に係る機器の防水カバーにおいては、カバー底部とカバー本体とを取り付けたときの防水効果を向上させることができる。
【０００９】
また、本発明に係る機器の防水カバーは、前記カバー本体が、前記機器の前部を覆うカバー前部と、前記機器の後部を覆うカバー後部とを備え、前記カバー前部と前記カバー後部とが、着脱可能に取り付けられることを特徴とする。
【００１０】
この発明に係る機器の防水カバーにおいては、カバー前部とカバー後部とに分けられていることから、窓口用現金処理機を前後から挟むようにして覆うことができる。そのため、カバー本体をカバー底部に容易に取り付けることができる。
また、平常時にあらかじめカバー底部にカバー後部を取り付けておいても、少なくともカバー前部を外しておけば、機器を使用することができ、非常時にはカバー前部を取り付けるだけで、機器を容易に覆うことができる。
【００１１】
また、本発明に係る機器の防水カバーは、前記カバー前部と前記カバー後部とが、防水用連結部によって着脱可能に取り付けられることを特徴とする。
【００１２】
この発明に係る機器の防水カバーにおいては、カバー前部とカバー後部とを取り付けたときの防水効果を向上させることができる。
【００１３】
また、本発明に係る機器の防水カバーは、前記カバー後部が、あらかじめ前記カバー底部に取り付けられることを特徴とする。
【００１４】
この発明に係る機器の防水カバーにおいては、カバー後部をあらかじめカバー底部に取り付けておき、非常時に、カバー前部をカバー後部及びカバー底部に取り付ける。
これにより、カバー本体をさらに容易かつ迅速に設置することができる。
【００１５】
また、本発明に係る機器の防水カバーは、前記カバー後部又は前記カバー底部に、前記機器のケーブルが挿通される伸縮可能な保護部材が設けられていることを特徴とする。
【００１６】
この発明に係る機器の防水カバーにおいては、保護部材に機器のケーブルが挿通され、非常時には、保護部材が伸ばされて、ケーブルが保護される。
これにより、機器を確実に保護することができる。
【発明の効果】
【００１７】
本発明によれば、平常時にあらかじめカバー底部に機器を載置しておいても、カバー底部が露出することを防止することができることから、機器周辺の美観に影響を与えることなく、また、カバー底部を損傷することを防止することができる。そのため、長期にわたって適正に防水効果を発揮させることができる。さらに、カバー底部にあらかじめ機器を載置しておき、非常時にのみカバー本体を取り付けることができることから、非常時に容易かつ迅速にカバー本体を設置することができる。
【発明を実施するための最良の形態】
【００１８】
（実施形態１）
以下、本発明の第１実施形態における機器の防水カバーについて、図面を参照して詳細に説明する。なお、ここでは、窓口用現金処理機（機器）の防水カバーとして説明する。
図１において、符号１は防水カバーを示すものである。
【００１９】
防水カバー１は、可撓性防水素材からなるカバー底部２を備えている。可撓性防水素材としたのは、窓口用現金処理機（図４に示す）３の設置工事の際に設置し易くするためである。カバー底部２は、窓口用現金処理機３が載置される矩形状の底面部６を備えている。底面部６は、窓口用現金処理機３の底部と略同一の面積を有している。なお、過重制限のある場合には、底面部６の下或いは上に鉄板を設けるようにする。
【００２０】
また、底面部６には、その四辺部から立ち上げられた周壁部７が設けられている。周壁部７の高さ寸法は、美観を考慮すると、短いほど好ましいが、浸水が生じた場合にカバー底部２のみで防水効果を発揮させるには長いほど好ましい。そこで、美観と防水効果とのバランスを考えて、また、機器に（図示しない）通風口を備えている場合は、当該通風口をふさがないよう、適切な高さ寸法に設定される。周壁部７の上端には、矩形状の開口端の全長にわたって防水ジッパー（防水用連結部）８が設けられている。
【００２１】
また、カバー底部２には、窓口用現金処理機３を覆うためのカバー本体１１が取り付けられるようになっている。カバー本体１１は、防水素材からなっている。また、カバー本体１１は、窓口用現金処理機３の少なくとも前部を覆うためのカバー前部１２と、窓口用現金処理機３の少なくとも後部を覆うためのカバー後部１３とを備えている。
カバー前部１２は、矩形状の前面部１６を備えており、前面部１６の一方の短辺部１６ａには、窓口用現金処理機３の上部を覆うための天面部１７が設けられている。これら前面部１６と天面部１７とは一体的に形成されており、前面部１６の一方の短辺部１６ａを中心として互いに回転可能に形成されている。さらに、カバー前部１２の外縁部には、全長にわたって防水ジッパー８が設けられている。
【００２２】
また、カバー後部１３は、矩形状の後面部２０を備えており、その二つの長辺部２０ｂには、窓口用現金処理機３の両側部を覆うための一対の側面部２１がそれぞれ設けられている。これら後面部２０と一対の側面部２１とは一体的に形成されており、後面部２０の長辺部２０ｂを中心として互いに回転可能に形成されている。さらに、カバー後部１３の外縁部には、全長にわたって防水ジッパー８が設けられている。
【００２３】
このような構成のもと、カバー前部１２とカバー後部１３とは、それぞれの防水ジッパー８を介して、互いに着脱可能に取り付けられるようになっている。すなわち、前面部１６の二つの長辺部１６ｂと、側面部２１の長辺部２１ｂとが防水ジッパー８によって連結され、天面部１７の先端辺１７ａと、後面部２０の上端の短辺部２０ａとが連結され、さらに、天面部１７の側端辺１７ｂと、側面部２１の上端の短辺部２１ａとが連結されるようになっている。
また、カバー本体１１は、防水ジッパー８を介して、カバー底部２に着脱可能に取り付けられるようになっている。すなわち、カバー本体１１の開口端の各辺が、カバー底部２の開口端の各辺に、防水ジッパー８によって連結されるようになっている。
【００２４】
次に、本実施形態における防水カバー１の使用方法について説明する。
なお、床面の所定の位置にカバー底部２が設置されているものとする。カバー底部２は、アンカーボルト工事時に、コーキング処理が施されている。
【００２５】
まず、図２に示すように、カバー底部２にカバー後部１３を取り付ける。すなわち、窓口用現金処理機３の後方側に配されるカバー底部２の辺部に、防水ジッパー８によって、後面部２０の下端の短辺部２０ａを連結する。
それから、図３に示すように、上記連結した状態で、カバー後部１３を折り畳んで、カバー底部２の後方に配しておく。このとき、窓口用現金処理機３の排気口を塞がない位置に配する。
【００２６】
そして、図４に示すように、カバー底部２の底面部６上に窓口用現金処理機３を設置する。すなわち、カバー底部２とカバー後部１３とは、あらかじめ（平常時に）設置されるものである。窓口用現金処理機３を底面部６上に載置するときには、カバー底部２の防水ジッパー８に保護板を設置し、この保護板上を通して、窓口用現金処理機３を底面部６上に移動させる。これにより、防水ジッパー８の破損が防止される。窓口用現金処理機３が底面部６上に載置されると、底面部６の面積が窓口用現金処理機３の底部の面積と略同一であることから、底面部６が窓口用現金処理機３によって隠された状態となる。同様に、カバー後部１３も窓口用現金処理機３の背後に隠された状態となる。台風や大雨などのない平常時には、この状態で、窓口用現金処理機３が使用される。なお、平常時には、カバー前部１２をバックヤードなどに保管しておく。
【００２７】
一方、非常時には、以下のようにして防水カバー１が設置される。すなわち、図５に示すように、窓口用現金処理機３の背後に配されていたカバー後部１３を広げて立ち上げる。それから、図６に示すように、側面部２１を手前側に向けて折り返し、側面部２１の下端の短辺部２１ａと、カバー底部２の対応する辺部とを防水ジッパー８によって取り付ける。さらに、図７に示すように、カバー前部１２を広げて、逆Ｌ字状に配する。それから、カバー前部１２をカバー後部１３に取り付けるとともに、カバー前部１２をカバー底部２に取り付ける。
これにより、窓口用現金処理機３の全面が覆われる。
【００２８】
以上より、本実施形態における防水カバー１によれば、カバー底部２の底面部６に窓口用現金処理機３を載置することにより、底面部６を隠すことができ、底面部６の露出を防止することができる。そのため、平常時に、カバー底部２が損傷することを防止することができる。さらに、非常時には、カバー後部１３を広げた状態で、カバー前部１２をカバー後部１３及びカバー底部２に取り付けるだけで、窓口用現金処理機３の全面を迅速かつ容易に覆うことができる。
したがって、平常時においては窓口用現金処理機３周辺の美観に影響を与えることなく、長期にわたって適正に防水効果を発揮させることができ、さらに、非常時には容易かつ迅速に防水カバー１を設置することができる。
【００２９】
また、防水ジッパー８によって連結していることから、防水効果を向上させることができる。
また、カバー前部１２とカバー後部１３とに分けられていることから、窓口用現金処理機３を前後から挟むようにして覆うことができる。そのため、カバー本体１１をカバー底部２に容易に取り付けることができる。
さらに、あらかじめ（平常時に）、カバー後部１３を折り畳んで、カバー底部２に連結したまま後方に配することにより、カバー後部１３を隠すことができ、カバー後部１３の損傷を防止することができる。そして、非常時には、カバー後部１３を広げるだけで、窓口用現金処理機３の後部や側部を覆うことができるので、カバー本体１１をさらに容易かつ迅速に設置することができる。
【００３０】
なお、本実施形態においては、カバー前部１２に天面部１７を設け、カバー後部１３に側面部２１を設けるとしたが、これに限ることはなく、天面部１７や側面部２１は、カバー前部１２及びカバー後部１３のどちらに設けてもよい。例えば、天面部１７及び一対の側面部２１をカバー前部１２に設けることにより、カバー後部１３の全体の面積を小さくすることができ、カバー後部１３をより小さく折り畳んでおくことができる。
また、天面部１７や側面部２１は、必ずしもカバー前部１２及びカバー後部１３のいずれかに設けられていなくてもよい。すなわち、天面部１７や側面部２１を、カバー前部１２及びカバー後部１３とは別個の部材とすることもできる。
【００３１】
さらに、カバー前部１２及びカバー後部１３を別部材とすることなく、それらを一体としてカバー本体１１を構成してもよい。この場合、窓口用現金処理機３の上方からカバー本体１１を被せることにより、防水カバー１を設置することができる。
【００３２】
（実施形態２）
次に、本発明の第２の実施形態について説明する。
図８から図１０は、本発明の第２の実施形態を示したものである。
図８から図１０において、図１から図７に記載の構成要素と同一部分については同一符号を付し、その説明を省略する。
この実施形態と上記第１の実施形態とは基本的構成は同一であり、ここでは異なる点についてのみ説明する。
【００３３】
本実施形態におけるカバー本体１１は、側面部２１の短手方向の途中位置から切り離されたカバー前部１２´とカバー後部１３´とを備えて構成されている。
カバー前部１２´の前面部１６には、その上端の短辺部１６ａと、二つの長辺部１６ｂとに、天面部１７Ｆ又は側面部２１Ｆが設けられている。
また、カバー後部１３´の後面部２０には、その上端の短辺部２０ａと、二つの長辺部２０ｂとに、天面部１７Ｒ又は側面部２１Ｒが設けられている。
さらに、カバー前部１２´及びカバー後部１３´の外縁部の全長にわたって、防水ジッパー８が設けられている。
【００３４】
このような構成のもと、天面部１７Ｆと天面部１７Ｒ、及び、側面部２１Ｆと側面部２１Ｒとが一致するように、カバー前部１２´とカバー後部１３´とが防水ジッパー８を介して取り付けられるようになっている。そして、カバー前部１２´とカバー後部１３´とが取り付けられると、側面部２１Ｆの短辺部２１ａと、側面部２１Ｒの短辺部２１ａとにわたった全長が、カバー底部２の両辺部７ａの全長とそれぞれ等しくなるようになっている。
【００３５】
次に、本実施形態における防水カバー１の使用方法について説明する。
なお、本実施形態における機器としては、壁面に設置されるＡＴＭであるものとして説明する。
【００３６】
本実施形態においては、図９に示すように、壁面２５にＡＴＭ（機器）２４を設置する際に、カバー底部２とカバー後部１３´とを、互いに連結させた状態で、あらかじめ設置するものである。すなわち、床面の所定の位置にカバー底部２を設置し、カバー後部１３´を、開放端を手前側に向けて壁面２５に設置する。このとき、カバー底部２とカバー後部１３´とを防水ジッパー８によって連結しておく。この状態で、ＡＴＭ２４を底面部６に載置して、壁面２５に設置する。そして、防水ジッパー８が壁面２５の手前側に配されるようにする。
【００３７】
これにより、底面部６はＡＴＭ２４によって隠され、カバー後部１３は、壁面２５内に隠された状態となっている。この状態で、平常時にはＡＴＭ２４が利用される。
一方、非常時には、図１０に示すように、カバー後部１３´及びカバー底部２にカバー前部１２´を防水ジッパー８を介して取り付ける。これにより、ＡＴＭ２４の全面が覆われる。
【００３８】
以上より、本実施形態における防水カバー１によれば、実施形態１と同様の効果を奏することができる。
【００３９】
（実施形態３）
次に、本発明の第３の実施形態について説明する。
図１１から図１３は、本発明の第３の実施形態を示したものである。
図１１から図１３において、図１から図１０に記載の構成要素と同一部分については同一符号を付し、その説明を省略する。
この実施形態と上記第１の実施形態とは基本的構成は同一であり、ここでは異なる点についてのみ説明する。
【００４０】
本実施形態においては、図１１に示すように、底面部６の周壁部７に、ＡＴＭ２４のケーブルが挿通される蛇腹ダクト（保護部材）２８が設けられている。蛇腹ダクト２８は、その長さ方向に伸縮可能に構成されている。
【００４１】
このような構成のもと、底面部６にＡＴＭ２４が設置されて、ＡＴＭ２４に接続されたケーブルが蛇腹ダクト２８に挿通される。このとき、各種ケーブルの長さ寸法を大きく設定しておく。すなわち、ケーブルに余長を持たせておく。そして、図１２に示すように、平常時には、蛇腹ダクト２８を縮ませて、ケーブルの余長分を外に出しておく。
【００４２】
一方、非常時には、図１３に示すように、蛇腹ダクト２８を伸ばしてケーブルを覆っていき、蛇腹ダクト２８をケーブルごと上方に立ち上げる。そして、カバー本体１１の上部において、蛇腹ダクト２８又はケーブルを紐などで固定する。
以上より、本実施形態における防水カバー１によれば、非常時に、ＡＴＭ２４から各種ケーブルを分離させる必要がなく、緊急対処時間を削減することができるとともに、復旧作業時にも、ケーブルの再接続が不要となり、復旧時間を短縮することができる。
なお、蛇腹ダクト２８を底面部２に設けるとしたが、これに代えて、カバー後部１３に設けてもよい。
【００４３】
なお、上記第１から第３実施形態においては、機器として、窓口用現金処理機３又はＡＴＭ２４としたが、これらに限ることはなく、適宜変更可能である。例えば、機器として、家具や他のコンピュータなどであってもよい。
また、ガスボンベなどを設置し、防水カバー１の使用時に、ガスボンベから防水カバー１内に不燃性ガスを注入し、カバー内の気圧を高めるようにしてもよい。これにより、耐水性を向上させることができる。この場合、カバー本体１１などに、ガスの注入口などを設けてもよいし、カバー内にガスボンベを設置するようにしてもよい。
さらに、ガスボンベだけでなく、底面部６に浸水センサを設置していもよい。この場合、浸水センサに制御部を電気的に接続し、制御部とガスボンベの開閉機構駆動部とを電気的に接続する。このような構成のもと、浸水センサによって浸水が検知されると、その検知信号が制御部に入力される。すると制御部は、開閉機構駆動部を駆動し、ガスボンベを開放する。これにより、ガスボンベから防水カバー１内に不燃性ガスが注入され、カバー内の気圧が高められる。
【００４４】
また、図１４に示すように、カバー本体１１の長辺部に、浸水確認テープ３０を貼り付けてもよい。浸水確認テープ３０は、水分を吸収すると色が変わるようになっている。これにより、浸水の状態を容易に視認することができる。
なお、本発明の技術範囲は上記の実施形態に限定されるものではなく、本発明の趣旨を逸脱しない範囲において、種々の変更を加えることが可能である。
【図面の簡単な説明】
【００４５】
【図１】本発明に係る機器の防水カバーの第１の実施形態を示す分解斜視図である。
【図２】図１のカバー底部にカバー後部を取り付けた様子を示す説明図である。
【図３】図２のカバー後部を折り畳んだ様子を示す説明図である。
【図４】図３のカバー底部に機器を載置した様子を示す説明図である。
【図５】図４のカバー底部を広げて持ち上げた様子を示す説明図である。
【図６】図５の側面部を、折り返してカバー底部に取り付けた様子を示す説明図である。
【図７】図６のカバー底部及びカバー後部にカバー前部を取り付けて、機器を覆った様子を示す説明図である。
【図８】本発明に係る機器の防水カバーの第２の実施形態を示す分解斜視図である。
【図９】図８のカバー底部及びカバー後部を設置し、カバー底部に機器を載置した様子を示す説明図である。
【図１０】図９のカバー底部及びカバー後部にカバー前部を取り付けて、機器を覆った様子を示す説明図である。
【図１１】本発明に係る機器の防水カバーの第３の実施形態を示す図であって、底面部を示す斜視図である。
【図１２】図１１の底面部に機器を設置した様子を示す側面図である。
【図１３】図１２の底面部にカバー本体を取り付け、保護部材を伸ばしてカバー本体の上部に取り付けた様子を示す側面図である。
【図１４】図１０の防水カバーに浸水確認テープを設けた様子を示す斜視図である。
【符号の説明】
【００４６】
１    防水カバー
２    カバー底部
３    窓口用現金処理機（機器）
８    防水ジッパー（防水用連結部）
１１  カバー本体
１２，１２´  カバー前部
１３，１３´  カバー後部
２４  ＡＴＭ（機器）
２８  蛇腹ダクト（保護部材）
【図１】
2007217032.tif 000003
【図２】
2007217032.tif 000004
【図３】
2007217032.tif 000005
【図４】
2007217032.tif 000006
【図５】
2007217032.tif 000007
【図６】
2007217032.tif 000008
【図７】
2007217032.tif 000009
【図８】
2007217032.tif 000010
【図９】
2007217032.tif 000011
【図１０】
2007217032.tif 000012
【図１１】
2007217032.tif 000013
【図１２】
2007217032.tif 000014
【図１３】
2007217032.tif 000015
【図１４】
2007217032.tif 000016